(57)【要約】【課題】問診で回答した後、診察を受ける前に待合室で待っていた。【解決手段】患者端末側の表示部で示された問診に対する回答をサーバーに送信し、サーバーでその問診回答を分析して医師端末に送信して施療について決定するが、患者が診察を受ける前に、問診回答の分析結果に対する解説を必要に応じてプリントするが、その解説は、簡単な内容と、詳細な内容など複数種類用意されている。【選択図】図１
2014235559.tif 000002
【特許請求の範囲】
【請求項１】
患者が操作する患者端末と、医師が操作する医師端末と、サーバーとからなる問診システムで、前記患者端末は受信した問診情報を表示する表示手段と、前記問診情報に対する問診回答を入力する入力手段と、前記サーバーに前記問診回答を受信する送信する送信手段を備え、前記サーバーは、前記患者端末から入力される前記問診回答を分析する分析手段と、前記分析手段により分析された分析結果および前記分析結果の解説を作成する作成手段と、前記分析結果および前記解説を記憶する記憶手段と、前記分析結果を前記医師端末に、前記解説を前記患者端末に送信する送信手段とを備え、前記医師端末は前記分析結果を画面に表示する表示手段と、操作手段のための入力手段とを備え、前記患者端末は前記解説を前記表示手段で閲覧または別設のプリンターで印刷する問診システム。
【請求項２】
前記解説は、同一分析結果に対して文字数が異なるか、文字乃至は図面を含み表現が異なる複数の種類からなり、さらに、是非読まなくてはならない必須項目を他の部分と区別した請求項１に記載の問診システム。
【請求項３】
前記解説は、前記患者の診察までの待合い時間の長さに応じて選択可能とする請求項２に記載の問診システム。
【請求項４】
前記解説は、前記患者の病歴、またはあらかじめ測定した患者または患者の付き添い者の理解力に応じて異なる請求項２に記載の問診システム。
【発明の詳細な説明】
【技術分野】
【０００１】
本発明は、患者を医師が診察する前に病状をコンピュータ画面上で聞いた問診情報に回
答し、分析し、診察前に患者または患者の付き添いに分析結果の解説を行う問診システム
に関する。
【背景技術】
【０００２】
患者側端末と、医師側端末と、院内サーバーとを有した問診情報を活用するシステムとして、特許文献１のように、前記患者側端末は、患者に対する質問に対する回答から直接得られる問診情報を前記サーバーに送信し、前記院内サーバーは、前記患者側端末から取得する問診情報に基づいて患者の症状を分析する分析した分析結果を記憶し、前記医師側端末は、問診される患者の症状の分析結果を前記院内サーバーから取得し、医師はその分析結果を参考にして診療する技術はあった。
【先行技術文献】
【特許文献】
【０００３】
【特許文献１】特開２０１３−７３２５３号公報
【発明の概要】
【発明が解決しようとする課題】
【０００４】
以上に述べた特許文献１は、問診結果を院内サーバーで分析した結果をあらかじめ医師に提示するので医師の診療の正確性を高めることができる。ただし、せっかく立派な分析ができても医師に提示する分析結果を患者または患者の保護者、保護者に相当する、付き添い等の関係者にも提示して、診察前に患者を含めた保護者、付き添い等の関係者に知らせないのは惜しく、分析結果を有効に使う点において欠点を有する。
【０００５】
本発明は、このような従来の構成が有していた問題を解決しようとするものであり、問診による回答を分析した結果を有効に使うことを目的とするものである。
【課題を解決するための手段】
【０００６】
本発明の請求項１は、患者が操作する患者端末と、医師が操作する医師端末と、サーバーとからなる問診システムで、前記患者端末は受信した問診情報を表示する表示手段と、前記問診情報に対する問診回答を入力する入力手段と、前記サーバーに前記問診回答を受信する送信する送信手段を備え、前記サーバーは、前記患者端末から入力される前記問診回答を分析する分析手段と、前記分析手段により分析された分析結果および前記分析結果の解説を作成する作成手段と、前記分析結果および前記解説を記憶する記憶手段と、前記分析結果を前記医師端末に、前記解説を前記患者端末に送信する送信手段とを備え、前記医師端末は前記分析結果を画面に表示する表示手段と、操作手段のための入力手段とを備え、前記患者端末は前記解説を前記表示手段で閲覧または別設のプリンターで印刷する問診システムを提供するものである。
【０００７】
請求項２は、前記解説は、同一分析結果に対して文字数が異なるか、文字乃至は図面を含み表現が異なる複数の種類からなり、さらに、是非読まなくてはならない必須項目を他の部分と区別した請求項１に記載の問診システムを提供するものである。
【０００８】
請求項３は、前記解説は、前記患者の診察までの待合い時間の長さに応じて選択可能とする請求項２に記載の問診システムを提供するものである。
【０００９】
請求項４は、前記解説は、前記患者の病歴、またはあらかじめ測定した患者または患者の付き添い者の理解力に応じて異なる請求項２に記載の問診システムを提供するものである。
【発明の効果】
【００１０】
上述したように、本発明の問診システムは、問診回答結果を分析した情報を診察の前に医師に提供して診療に有効であるばかりでなく、その結果の解説を患者または付き添い等の関係者に診断の前に提供して勉強してもらうことができる。また、初診の患者にはあまり難しいことを避けてより基礎からその疾病に関する勉強をしてもらって今後に役に立てることができる。
【図面の簡単な説明】
【００１１】
【図１】本発明の問診システムを示したブロック図である。
【図２】本発明の問診システムの制御手段の機能を示すフローチャートを示す。
【発明を実施するための形態】
【００１２】
図１は、本発明の問診システムを示すブロック図を示す。
【００１３】
１は、患者が操作する患者端末、２はサーバー、３は、医師が操作する医師端末を示し、患者端末１の表示部で表示された質問形式の問診情報に対して入力した問診回答をサーバー２に送り、サーバー２は前記問診回答を分析した結果を医師端末3に送信する。なお、問診情報はあらかじめ患者の年齢、疾病に応じてそれぞれ異なる質問でもよい。
【００１４】
患者端末１は、サーバー２から送られ、送受信部１Ｓで受信した問診情報を表示する表示部１Ｄ、表示部１Ｄで表示された質問形式の問診情報に対してキーボードのような入力部１Ｉで入力し、問診回答を行って記憶する記憶部１Ｍ、記憶部１Ｍで記憶した問診回答を送受信部１Ｓによりサーバー２に送信する、これらの送受信部１Ｓ、表示部１Ｄ、入力部１Ｉ、記憶部１Ｍ、後述のサーバー２からの分析情報の解説をプリントする別設のプリンター１Ｐの動作を制御する１Ｃを有する。
【００１５】
サーバー２は、患者端末１の送信部１Ｓより送られた問診回答を、送受信部２Ｓを介して記憶部２Ｍで記憶し、分析部２Ａにより問診回答を分析して分析情報を送受信部２Ｓより医師端末２に送信する。制御部２Ｃは送受信部２Ｓ，記憶部２Ｍ、分析部２Ａの動作を制御すると共に、分析情報の解説を患者が診察を受ける前に読めるように、患者のその疾病に関する病歴、患者または付き添い者の理解度に応じて複数の種類の解説を作成する。例えばその疾病が初めての場合は難解なことを初めから読んでも理解できない可能性があるので簡単な解説を提供する。また診察までの待合い時間が短いときも詳細な解説はその待合い時間内に読むことができないと思われるので簡単な解説を提供する。さらに解説は、診察前に是非読まなくてはならない必須項目をもうけ、例えば四角で囲むとか、色を変えて示すなどして読む際に注意を喚起する。
【００１６】
医師端末３は、送受信部３Ｓを介して記憶部３Ｍにサーバー２で分析した分析情報を記憶し、表示部３Ｄに表示する。それに対して医師は入力部３Ｉに施療情報を入力し、送受信部３Ｓを介してサーバー２に送信する。
【００１７】
図２は、本発明の問診システムにおける各制御部の機能を示すフローチャートを示す。
【００１８】
Ｓ１で、患者端末１の不図示の電源スイッチをオンし、Ｓ２で日付、ＩＤ、氏名等の基礎的事項を入力する。ここで患者が初診であるかどうか、何回目の通院かどうかを入力する。
【００１９】
Ｓ３で、問診端末の表示部１Ｄに表示された問診情報に対して入力部１Ｉで質問形式の問診に対して回答を入力する。
【００２０】
Ｓ４で、サーバー２に問診回答をサーバー１に送信する。
【００２１】
Ｓ５で、サーバー２は問診回答を分析すると共に、分析内容の解説が作成を終了する。
【００２２】
Ｓ６で、サーバー２から送られる情報が分析結果の場合は、Ｓ７で医師端末に分析結果の内容を送信する。
【００２３】
Ｓ８で、診察、施療の結果を医師端末３からサーバー２に送信し、Ｓ１４で終了する。
【００２４】
Ｓ６で得られた分析結果の内容を解説するとき、その解説は、患者のその疾病の病歴、患者または患者の付き添い者の理解度、診察までの待合い時間に応じて分類する。
【００２５】
疾病の病歴が初めての場合、あらかじめ患者または付き添い者の理解度も不十分と思われた患者、または患者の資質に関係なく、待合い時間が所定時間より短いときはクラスＡとし、クラスＡとは逆にも同様で、疾病の病歴もあり、患者または付き添い者の理解度も十分と思われる場合、また待合い時間が所定時間より長いときは、クラスＢとする。
【００２６】
Ｓ９で、クラスＡと判定されれば、Ｓ１０で、詳細な説明の解説Ａを提供すると共に、必ず読まなくてはならない必須項目を色分け、四角で囲むなどして注意を喚起する解説が患者端末に送られ、Ｓ１１ではプリンター１Ｐで、プリントが終了するとＳ１４で終了する。
【００２７】
Ｓ９で分類としてクラスＡではない場合はクラスＢと判定され、クラスＡとは逆にＳ１２に示すように簡単な説明の解説Ｂ、を提供すると共に、必ず読まなくてはならない必須項目を色分け、四角で囲むなどして注意を喚起する解説が患者端末に送られ、Ｓ１３では、プリンター１Ｐで、プリントが終了されるとＳ１４で終了する。
【００２８】
図２のフローチャートでは、クラスＡ，クラスＢの２種の解説を示しているが、２種以上にしてもよい。ここで制御部２Ｃは、前述したように解説の内容を患者の病歴、理解度に応じて選択できるように複数用意する。
【００２９】
サーバー２で問診回答を分析することで流行した疾病の場合は、早く隔離するように指示可能で、さらに診療を受ける患者の順番も変更して、流行した疾病が他の患者や付き添いに罹ることのないようにする効果もある。
【符号の説明】
【００３０】
１・・・・・・患者端末
２・・・・・・サーバー
３・・・・・・医師端末
【図１】
2014235559.tif 000003
【図２】
2014235559.tif 000004